(57)【要約】      （修正有）【課題】暴露事故の恐れのある廃棄物を収容した樹脂製チューブがヒートシーラーにより破損することの少ない医療汚染防止ストッカーを提供する。【解決手段】暴露防止用ストッカー１００は、廃棄物Ｃをヒートシール２により封止する。暴露防止用ストッカー１００は、同心円状に折重ねられた樹脂製チューブＡを外周面に装着するよう構成され軸方向を鉛直方向とする筒体と、筒体の内部を通して垂下する樹脂製チューブを溶着するヒートシーラー２とを備え、ヒートシーラー２は、筒体の中心直下を避けて側方に配設されている。廃棄物Ｃを廃棄する場合には、廃棄物Ｃを蓋１１の廃棄物投入口１１ａから投入する。すると、廃棄物Ｃは、樹脂製チューブＡの内部に収容される。そして、さらに樹脂製チューブＡを引き下げ、廃棄物Ｃを収容した部分の上側で樹脂製チューブＡをヒートシーラー２で封止する。【選択図】図４
0003194104.tif 000002
【実用新案登録請求の範囲】
【請求項１】
暴露事故の恐れのある廃棄物を収容した樹脂製チューブをヒートシールにより封止する暴露防止用ストッカーであって、
同心円状に折重ねられた樹脂製チューブを外周面に装着するよう構成され、軸方向を鉛直方向とする筒体と、
前記筒体の内部を通して垂下する前記樹脂製チューブを溶着するヒートシーラーと、を備え、
前記ヒートシーラーは、前記筒体の中心直下を避けて側方に配設されていることを特徴とする暴露防止用ストッカー。
【請求項２】
前記ヒートシーラーは、鋏状に開閉する請求項１に記載の暴露防止用ストッカー。
【請求項３】
前記筒体直下の空間は、側方に開口している請求項１又は請求項２に記載の暴露防止用ストッカー。
【請求項４】
前記ヒートシーラーは、樹脂製チューブを溶着と同時に溶断するよう構成されている請求項１から請求項３に記載の暴露防止用ストッカー。
【請求項５】
前記ヒートシーラーが鋏状に開閉するとともに、樹脂製チューブを溶断せずに溶着するよう構成されている請求項１に記載の暴露防止用ストッカー。
【考案の詳細な説明】
【技術分野】
【０００１】
この考案は、医療施設や製薬会社、研究開発機関等におけるバイオハザードやケミカルハザード等の暴露事故の恐れのある廃棄物を安全にストックする暴露防止用ストッカーに関する。
【背景技術】
【０００２】
近年、抗癌剤の研究開発が進むにつれて医療スタッフが取り扱う抗癌剤の種類や量が大幅に増加し、医療スタッフが抗癌剤の暴露を受ける機会が増大している。
そこで、抗癌剤の調製時においては、抗癌剤を物理的に隔離するため、バイオハザード対策用キャビネットや調整時に着用する手袋や保護衣等のいわゆるＰＰＥ（個人用防護具）の消耗品を使用する等の１次汚染に対する防御策が積極的に進められている。
ところが、その一方で、抗癌剤の調製後の廃棄対策は未だ万全とは言い難く、蓋のないゴミ箱に抗癌剤を廃棄することも多いため、廃棄後の２次汚染に対する対策が望まれている。
【０００３】
そこで、本考案者は、ゴミ袋の口をヒートシールで封止することに想到し、先行技術の調査を行ったところ、生ゴミの悪臭を防止するためにゴミ袋の口をヒートシールで封止する技術（特許文献１、及び特許文献２参照）を知見する。
【０００４】
特許文献１の「家庭用生ごみパック処理機」では、処理機内部に上下２段のヒートシーラーを備えており、ゴミ袋として、樹脂網からなる内袋と下部に開口を設けた密封用樹脂フィルムからなる外袋とからなる二重構造の袋を用いている。内側の樹脂網に入れた生ごみの水分を外側の密封用樹脂フィルムの開口から排出したのち、上下のヒートシーラーでゴミ袋の上下の開口をシールするものである。
【０００５】
一方、特許文献２の「生ごみのパック装置」では、ゴミ袋を一々セットしなくて済むようにビニールチューブを用い、上下にやや離間して設けられた１対のヒートシール治具とその間に設けられたカッターとで、すでにゴミを収容した先行部分の上部開口のシールと、次にゴミを収容する後行部分の下端部のシールとを同時に行いながら、さらに先行部分と後行部分とをカッターで切断分離するよう構成されている。
【先行技術文献】
【特許文献】
【０００６】
【特許文献１】実公平６−２０７２５号公報
【特許文献２】実用新案出願公開平３−４５８０２号公報
【考案の概要】
【考案が解決しようとする課題】
【０００７】
しかし、特許文献１ではゴミを封止したゴミ袋を取り出す際に、特許文献２ではビニールチューブを下方へ引き下げる際に、ゴミ袋は左右一対のヒートシーラーの間を通す必要があり、ゴミ袋がヒートシーラーやカッターに引っかかって破れる虞がある。生ゴミではゴミ袋が多少破れても多少臭うだけで問題にはならないが、医療汚染物の場合使用者の暴露を招く虞がある。
本考案は上記課題に鑑みてなされたものであり、ゴミ袋を取り扱う際に、ゴミ袋が破れにくい暴露防止用ストッカーの提供を目的とする。
【課題を解決するための手段】
【０００８】
上記課題を解決するためになされた考案は、暴露事故の恐れのある廃棄物（以下単に「廃棄物」ともいう。）を収容した樹脂製チューブをヒートシールにより封止する暴露防止用ストッカーであって、同心円状に折重ねられた樹脂製チューブを外周面に装着するよう構成され、軸方向を鉛直方向とする筒体と、前記筒体の内部を通して垂下する前記樹脂製チューブを溶着するヒートシーラーと、を備え、前記ヒートシーラーは、前記筒体の中心直下を避けて側方に配設されていることを特徴とする。
【０００９】
本考案に係る暴露防止用ストッカーは、このように、ヒートシーラーが、前記筒体中心の直下を避けてその側方に配設されているので、樹脂製チューブを引き下げる際にヒートシーラーに引っかけて破いてしまうことを抑制できる。
【００１０】
前記ヒートシーラーは、鋏状に開閉することが好ましい。ヒートシーラーが鋏状に開閉することで、側方からヒートシーラーの間に樹脂製チューブを挿入でき、ヒートシールを行う際に樹脂製チューブが破損することを抑制できる。
【００１１】
前記筒体直下の空間は、側方に開口していることが好ましい。こうすることで、側方から人が手を入れて、樹脂製チューブを引き下げたりヒートシールしたりできるため、これらの作業を自動で行うように構成する場合より、ストッカーの構造をシンプルにできる。
【００１２】
前記ヒートシーラーは、樹脂製チューブを溶着と同時に溶断するよう構成されていることが好ましい。こうすることで、樹脂製チューブを別途切断する必要がないため、樹脂製チューブの切断ミスによる暴露を防止できる。
【００１３】
前記ヒートシーラーは、鋏状に開閉するとともに、樹脂製チューブを溶断せずに溶着するよう構成されていることが好ましい。こうすることで、樹脂製チューブを繋げたまま廃棄物を封止し続けることができるため、樹脂製チューブの切断ミスによる暴露事故を抑制することができ、また、廃棄物の紛失を防止することができる。
【考案の効果】
【００１４】
以上説明したように、本考案の暴露防止用ストッカーによれば、樹脂製チューブを引き下げる際に樹脂製チューブが破損することを抑制できる。
【図面の簡単な説明】
【００１５】
【図１】本考案の一の実施形態に係る暴露防止用ストッカーの平面図である。
【図２】図１の正面図である。
【図３】図１の右側面図である。
【図４】図１の暴露防止用ストッカーの使用状態を斜視で示す説明図である。
【考案を実施するための形態】
【００１６】
以下、適宜図面を用いながら本考案の実施形態について詳述する。図１乃至図３は、本考案の一の実施形態に係る暴露防止用ストッカー１００を示している。暴露防止用ストッカー１００は、樹脂製チューブＡを収容するチューブボックス１と、樹脂製チューブＡを封止するヒートシーラー２と、チューブボックス１とヒートシーラー２を支持するフレーム３と、廃棄物Ｃを封入した樹脂製チューブＡを収容する廃棄物ボックスＢを載置する網棚４とを備えている。
尚、本考案の暴露防止用ストッカーは、下記の実施形態に限られるものではない。
【００１７】
チューブボックス１は、ステンレス鋼板を板金加工して形成され、図１に示すように平面視略正方形の箱型をなし、上側半分を構成する蓋１１と、下側半分を構成する本体部１２とからなる。蓋１１は、前部（図３の左方）に把手１４を備え、後部の蝶番１５により本体部１２に連結され、手前側がスイングするよう上下に開閉する。蓋１１の平面視中央には、角丸四角形の廃棄物投入口１１ａがチューブボックス１の上方と内部を連通するよう開口している。
【００１８】
また、本体部１２の底部中央には、平面視で廃棄物投入口１１ａ全体が収まる大きさの円形のチューブ挿通孔１２ａが設けられ、チューブボックス１の内部と下部空間を連通している。さらに、チューブ挿通孔１２ａの周縁から上下方向に連通する円筒状の筒体１３が立あがるよう設けられている。
【００１９】
フレーム３は、平面視の４隅において鉛直方向に延びる４本の支柱３１と、支柱３１の上端部を連結し、チューブボックス１の左右と後方の三方を取り囲む３本の水平枠３２とを備えている。チューブボックス１は左右と後方の側面に設けられた掛止部材１６を水平枠３２に掛止することにより、フレーム３に支持されている。４本の支柱３１の下端部は平面視正方形の網棚４の４隅に固定されている。
【００２０】
ヒートシーラー２は、チューブボックス１の下側で、フレーム３の後側２本の支柱３１の中間高さ辺りを連結するように水平に配設されている。ヒートシーラー２は、右側端にヒンジが設けられ左側から鋏状に開くよう構成されている。
【００２１】
上述した構成を有する暴露防止用ストッカー１００の使用方法、及び作用・効果について説明する。
暴露防止用ストッカー１００を使用する際には、まず、蓋１１を開けて、筒体１３に、同心円状に多層折重ねられたビニール等の樹脂製チューブＡを外環装する。次に、樹脂製チューブＡの先端を内側へ折り返して筒体１３の上部開口から下部開口へと挿通して樹脂製チューブＡの先端を、図３に示すように、チューブボックス１の下方に覗かせた状態にし、チューブボックス１の蓋１１を閉じる。しかる後、フレーム３の前側２本の支柱３１の間の開口３３から手を差し込んで樹脂製チューブＡの先端をヒートシーラー２のやや下方にまで引き下げ、ヒートシーラー２を開いて樹脂製チューブＡの先端をヒートシーラー２に挟み込んで溶着することで、樹脂製チューブＡの先端開口を封止する。
【００２２】
廃棄物Ｃを廃棄する場合には、廃棄物Ｃを蓋１１の廃棄物投入口１１ａから投入する。すると、廃棄物Ｃは、樹脂製チューブＡの内部に収容される。そして、さらに樹脂製チューブＡを引き下げ、廃棄物Ｃを収容した部分の上側で樹脂製チューブＡをヒートシーラー２で封止する。この際、ヒートシーラー２が筒体１３の中心直下を避けて側方に配設されているため、ヒートシーラー２に樹脂製チューブＡが引っ掛かって破損することが少ない。また、ヒートシーラー２が鋏状に開閉するため、樹脂製チューブＡを挟みやすい。
【００２３】
ここで、ヒートシーラー２が樹脂製チューブを溶断せずに溶着のみ行う型式の場合、樹脂製チューブＡの廃棄物Ｃを封入した部分は、樹脂製チューブＡの他の部分から分離されないまま、廃棄ボックスＢに収容される。この場合、廃棄物Ｃを収容した袋状部分が鎖状に連結することになる。このように、廃棄物Ｃを収容した袋状部分を切断しないことで、樹脂製チューブＡを間違ってカットすることによる暴露事故を抑制することができ、また廃棄物Ｃを収容した袋を個別に持ち出すことができないため、廃棄物の紛失を抑制することができる。
【００２４】
また、ヒートシーラー２が樹脂製チューブＡの溶着と同時に溶断を行う型式の場合は、樹脂製チューブＡの廃棄物Ｃを収容した部分は、樹脂製チューブＡの他の部分から切断分離されて袋状となり、廃棄ボックスＢに収容される。このように、溶着と同時に溶断も同時に行うことで、樹脂製チューブＡの切断ミスを防止できるため、廃棄物Ｃによる暴露事故を抑制することができる。
【００２５】
本考案の暴露防止用ストッカーは、上記の実施形態に限られるものではなく、例えば、ヒートシーラーは、鋏状に開閉するものでなくてもよく、筒体下方の空間が側方に開口していなくともよい。
【００２６】
本発明の暴露防止用ストッカーは、廃棄物を密閉する樹脂製チューブの破損を効果的に抑制できるため、病院等の医療施設やバイオ医薬等の薬品メーカー、研究開発機関の開発途上等において発生するバイオハザードやケミカルハザードを含んだ廃棄物の保管に好適に採用することができる。
【符号の説明】
【００２７】
１００  暴露防止用ストッカー
１３  筒体
２  ヒートシーラー
Ａ  樹脂製チューブ
Ｃ  廃棄物
【図１】
0003194104.tif 000003
【図２】
0003194104.tif 000004
【図３】
0003194104.tif 000005
【図４】
0003194104.tif 000006